(57)【特許請求の範囲】
【請求項１】
内部に放電空間が形成された耐火性で透光性の気密容器および気密容器内の放電空間の両端に離間対向して封装されて電極間距離が５ｍｍ以下の一対の電極を備えた放電容器と；
ナトリウムＮａ、スカンジウムＳｃおよび希土類金属の少なくとも２種のヨウ化物を含む発光金属のハロゲン化物、ならびに３気圧以上のキセノンを含み、気密容器内に封入されて水銀を本質的に含まない放電媒体と；
を具備し、安定時のランプ電力が５０Ｗ以下であるとともに、電極先端から基端方向へ０．３ｍｍの点における安定時の電極温度Ｔ（℃）と点灯１００時間における消灯時の遊離ヨウ素発生量Ａ（ｍｏｌ／ｃｃ）とが数式（１）を満足するとともに、安定時の上記電極温度Ｔ（℃）が数式（２）を満足することを特徴とする高圧放電ランプ。
Ｔ２／Ａ＞１０１１      （１）
１７００≦Ｔ≦１９００      （２）
【請求項２】
安定時の電極温度Ｔ（℃）は、電極先端からから基端方向へ０．３ｍｍの点において、数式（３）を満足することを特徴とする請求の範囲１記載の高圧放電ランプ。
１７３０≦Ｔ≦１８５０      （３）
【請求項３】
放電媒体は、Ｍｇ、Ｃｏ、Ｃｒ、Ｚｎ、Ｍｎ、Ｓｂ、Ｒｅ、Ｇａ、Ｓｎ、Ｆｅ、Ａｌ、Ｔｉ、ＺｒおよびＨｆのグループから選択された一種または複数種のハロゲン化物を含んでいて、当該ハロゲン化物がランプ電圧形成媒体として作用することを特徴とする請求の範囲１または２記載の高圧放電ランプ。
【請求項４】
請求の範囲１ないし３のいずれか一記載の高圧放電ランプと；
高圧放電ランプの点灯後４秒までの最高出力電力を安定時のランプ電力の２．５〜４倍とした点灯回路と；
を具備していることを特徴とする高圧放電ランプ点灯装置。
【請求項５】
自動車用前照灯装置本体と；
放電容器の軸が自動車用前照灯装置本体の光軸に沿って自動車用前照灯装置本体内に配設される請求の範囲１ないし３のいずれか一記載の高圧放電ランプと；
高圧放電ランプの点灯後４秒までの最高出力電力が安定時のランプ電力の２〜４倍となる点灯回路と；
を具備していることを特徴とする自動車用前照灯装置。
【発明の詳細な説明】
【０００１】
【発明の属する技術分野】
本発明は、水銀を本質的に封入しない高圧放電ランプ、これを用いた高圧放電ランプ点灯装置および自動車用前照灯装置に関する。
【０００２】
【従来の技術】
相対向する一対の電極を備えた発光管内に希ガス、発光金属のハロゲン化物および水銀を封入した高圧放電ランプすなわちメタルハライドランプは、比較的高効率で、高演色性であるため広く使用されている。自動車の前照灯用においても、高圧放電ランプの使用が普及してきている。自動車の前照灯用を含めて、現在実用されている高圧放電ランプは、水銀を必須としている（以下、このランプを便宜上「水銀入りランプ」という。）。なお、自動車前照灯用の高圧放電ランプの仕様については、たとえば特開平２−７３４７号公報に記載されているが、約２〜１５ｍｇの水銀の封入が不可欠とされている。また、特開昭５９−１１１２４４号公報には、水銀の封入量を所定量になるように規定した自動車前照灯用として好適な放電ランプすなわち高圧放電ランプが記載されている。この高圧放電ランプにおいては、水平作動状態にて放電アークが収縮して少なくともほぼ直線的となり、高効率を呈する旨記述されている。
【０００３】
しかしながら、環境問題が深刻化してきている現在、照明分野においても、環境負荷が大きい水銀をランプから減少させ、さらに廃絶することは非常に重要なことと考えられている。
【０００４】
この課題に対して、高圧放電ランプにおいても、水銀を用いないための提案が既にいくつかなされている。たとえば、特許第２９８２１９８号公報、特開平６−８４４９６号公報および特開平１１−２３８４８８公報に記載されている発明は、本発明者らがなしたものである。前者は、スカンジウムＳｃまたは希土類金属のハロゲン化物と希ガスとを封入して、パルス電流で点灯制御する構成である。中者は、放電媒体を金属ハロゲン化物と希ガスで構成することにより、広い入力範囲で色特性の変化を少なくして調光点灯を可能にした構成である。後者は、主発光物質であるところの第１のハロゲン化物に加えて、蒸気圧が高くて発光しにくい第２のハロゲン化物を添加することにより、電気特性などの改善を行うようにした構成である。
【０００５】
また、特開平１１−３０７０４８号公報には、スカンジウムＳｃおよびナトリウムＮａのハロゲン化物に加えて、金属単体での電離電圧が５〜１０ｅＶであり、かつ、動作時の蒸気圧が１×１０−５（ａｔｍ）であるところの第３のハロゲン化物としてイットリウムＹおよびインジウムＩｎのハロゲン化物を添加することにより、電極の飛散による黒化を防止する構成が記載されている。なお、この従来技術においては、発明により得られた高圧放電ランプが自動車前照灯用としての全光束および色度範囲を有している旨記述されている。
【０００６】
しかし、水銀を含まない高圧放電ランプ（以下、便宜上「水銀フリーランプ」という。）を自動車前照灯の光源として使用する場合、点灯直後の光量が少ないという課題がある。この課題を解決するためには、点灯直後に安定時の数倍のランプ電流を通流させることにより、光量を増加させ、高圧放電ランプを急激に、かつ、迅速に安定状態に移行させることが行なわれる。
【０００７】
【発明が解決しようとする課題】
ところが、放電がちらつくという課題のあることが分かった。以下、その原因について説明する。
１．上記のような点灯を高圧放電ランプに行わせると、点灯直後に最も電極温度が高くなるため、ある頻度で点灯開始を行っても、これに耐える電極設計にする必要がある。したがって、安定時には、比較的ランプ電流が小さいので、その際の電極温度は安定時の最適温度より低くなる傾向がある。そうすると、安定時の電極温度が低いので、電極からの熱電子放出が減少して、放電がちらつきやすくなる。
【０００８】
水銀フリーランプを自動車前照灯に用いる場合には、定格ランプ電流より大きなランプ電流たとえば３Ａを点灯直後から数秒間たとえば６秒間継続して流す必要があるため、安定時の電極温度をさらに低く設計する必要があり、放電のちらつきが一層増大する。なお、水銀入りランプでは、定格ランプ電流より大きなランプ電流を流すのは点灯から1秒前後である。
２．また、水銀フリーランプにおいては、水銀の発光スペクトルの自己吸収によりアークが太くなる効果が生じないため、アークが細いので、放電がちらつきやすい。
３．さらに、水銀フリーランプにおいては、ランプ電圧形成媒体として水銀に代えて蒸気圧が比較的高くて発光に寄与が少ないハロゲン化物を封入すると、高い蒸気圧によりアークが収縮して、放電がちらつきやすい。
４．さらにまた、水銀フリーランプにおいては、水銀を用い、かつ、キセノンを５〜６気圧封入する高圧放電ランプに相当するランプ特性を得るために、キセノンを１０気圧程度封入すると、キセノン圧力の増加にしたがってアークが収縮するので、放電がちらつきやすい。
５．水銀フリーランプにおいては、ＨｇＩなどを生成しないことから、遊離ハロゲンが容易に発生するが、ハロゲンガスは強い電子付着性を有する。このため、放電を消滅させやすくなっている。したがって、ハロゲンガスが高濃度であるほどアークが不安定化するという問題がある。
【０００９】
以上述べた原因から理解できるように、水銀フリーランプにおいては、水銀入りランプに比較して著しく放電のちらつきが生じやすい。また、水銀を含む高圧放電ランプでは問題にならなかった電極温度においても、放電のちらつきが発生する。
【００１０】
そうして、放電のちらつきが発生すると、明るさのちらつきが生じるばかりか、甚だしいときにはアークの立ち消えに至ることもある。
【００１１】
本発明者は、上述の課題について種々検討の結果、水銀フリーランプの場合、安定時における電極温度と遊離ハロゲン濃度とを適切に設計すれば、アークが安定化する領域があることを見出し、本発明をなすに至った。
【００１２】
また、本発明者は、水銀フリーランプの場合、電極温度の制御の態様の一つとして、安定時の電極温度を非常に狭いながらも所定範囲に維持すれば、放電のちらつきが効果的に改善されることを発見した。
【００１３】
本発明は、水銀を本質的に用いないで環境に配慮するとともに、安定時の電極温度と消灯時の遊離ヨウ素発生量を所定の関係に維持し、かつ、安定時の電極温度を所定の狭い範囲に維持することにより、放電のちらつきを低減するとともに電極寿命を改善した自動車前照灯用として好適な高圧放電ランプ、これを用いた高圧放電ランプ点灯装置および自動車用前照灯装置を提供することを目的とする。
【００１４】
【課題を達成するための手段】
特許請求の範囲１に規定する発明の高圧放電ランプは、内部に放電空間が形成された耐火性で透光性の気密容器および気密容器内の放電空間の両端に離間対向して封装されて電極間距離が５ｍｍ以下の一対の電極を備えた放電容器と；ナトリウムＮａ、スカンジウムＳｃおよび希土類金属のヨウ化物の少なくとも２種を含む発光金属のハロゲン化物、ならびに３気圧以上のキセノンを含み、気密容器内に封入されて水銀を本質的に含まない放電媒体と；を具備し、安定点灯時のランプ電力が５０Ｗ以下であるとともに、電極先端から基端方向へ０．３ｍｍの点における安定灯時の電極温度Ｔ（℃）と点灯１００時間における消灯時の遊離ヨウ素発生量Ａ（ｍｏｌ／ｃｃ）とが数式（１）を満足するとともに、安定灯時の上記電極温度Ｔ（℃）が数式（２）を満足することを特徴としている。
【００１５】
Ｔ２／Ａ＞１０１１      （１）
１７００≦Ｔ≦１９００      （２）
本発明および以下の各発明において、特に指定しない限り用語の定義および技術的意味は次による。
【００１６】
＜放電容器について＞    放電容器は、気密容器および一対の電極を備えて構成されている。
【００１７】
（気密容器について）    気密容器は、耐火性で透光性である。「耐火性」とは、放電ランプの通常の作動温度に十分耐える意味である。したがって、気密容器は、耐火性を備える材料であり、かつ、放電によって発生した所望波長域の可視光を外部に導出することができれば、どのようなもので作られていてもよい。たとえば、石英ガラスや透光性アルミナ、ＹＡＧなどのセラミックスまたはこれらの単結晶などを用いて形成することができる。なお、必要に応じて、気密容器の内面に耐ハロゲン性または耐ハロゲン化物性の透明性被膜を形成するか、気密容器の内面を改質することが許容される。
【００１８】
また、気密容器は、その内部に放電空間が形成されている。放電空間は、好ましくは細長くて、たとえば円柱状にすることができる。これにより、アークが水平点灯においては上方へ湾曲しようとするために、放電容器の上側の内面に接近するので、放電容器の上部の温度上昇が早くなる。
【００１９】
さらに、放電空間を包囲する部分の肉厚を比較的大きくすることができる。すなわち、電極間距離のほぼ中央部の肉厚をその両側の肉厚より大きくすることができる。これにより、放電容器の伝熱が良好になって放電容器の放電空間の下部およぶ側部内面に付着している放電媒体の温度上昇が早まるために、光束立ち上がりが早くなる。
【００２０】
（一対の電極について）    一対の電極は、気密容器内の放電空間の両端に離間対向して封装され、その電極間距離が５ｍｍ以下に設定されているものとする。また、電極は、その先端から基端方向へ０．３ｍｍの点における安定時の電極温度Ｔ（℃）が後述する遊離ヨウ素発生量Ａ（ｍｏｌ／ｃｃ）との関係において前記数式（１）を満足する所定範囲内にあるとともに前記数式（２）を満足するように規制されている必要がある。
【００２１】
なお、電極温度Ｔ（℃）は、パイロメータを用いて測定し、最も低い値が得られた位置の測定値を採用するものとする。たとえば、水平点灯用の高圧放電ランプの場合、水平点灯状態において、水平方向から温度測定を行う。また、電極の先端から基端方向へ０．３ｍｍの点の電極温度を測定する理由は次のとおりである。すなわち、本発明の高圧放電ランプの場合、アークの輝度が高いため、電極の先端部ではアーク光の擾乱を受けて電極温度を正確に測定するのが困難である。これに対して、電極の先端から基端方向へ０．３ｍｍの点で測定すれば、電極温度を正確に測定しやすい。
【００２２】
ところで、電極温度は、電極径、放電空間への電極突出長およびランプ電圧などの設計要素の一つまたは複数を適宜選択的に変更することにより変化させることが可能である。すなわち、電極径を大きくすれば、電極温度が低下する。放電空間への電極突出長を短くすれば、電極温度が低下する。同一ランプ電力の中でランプ電圧を高めれば、ランプ電流が低減するから、電極温度が低下する。したがって、上記の設計要素を適切に設定することにより、電極温度を所望値に制御することができる。
【００２３】
なお、電極は、交流および直流のいずれで作動するように構成してもよい。交流で作動する場合、一対の電極は同一構造とする。また、自動車前照灯用の高圧放電ランプの場合、ランプの点滅回数が非常に多くなるとともに、また点灯開始時には安定時より大きな電流を流すので、これに対応するように電極全体の径を均一に大くきすることができる。しかし、要すれば、電極の先端部近傍にのみ径大部を形成することもできる。また、直流で作動する場合、一般に陽極は温度上昇が激しいから、先端部近傍に径大部を形成すれば、放熱面積を大きくすることができるとともに、頻繁な点滅に対応することができる。これに対して、陰極は必ずしも径大部を形成する必要がない。
【００２４】
＜放電媒体について＞    本発明において、放電媒体は、前述したように発光金属のハロゲン化物およびキセノンを含み、水銀を本質的に含まない。
【００２５】
（ハロゲン化物について）    ハロゲン化物は、少なくともナトリウムＮａ、スカンジウムＳｃおよび希土類金属のヨウ化物の少なくとも２種を含む発光金属のハロゲン化物である。上記ナトリウムＮａ、スカンジウムＳｃおよび希土類金属は、高効率な発光物質であり、本発明における主発光金属である。なお、好ましくはナトリウムＮａと、スカンジウムＳｃおよび希土類金属の少なくとも一方とのハロゲン化物を含むように構成する。しかし、要すれば、上記に加えて他の発光金属のハロゲン化物を封入することが許容される。たとえば、インジウムＩｎのハロゲン化物を添加することにより、青色発光成分が増加するので、色度調整に寄与する。
【００２６】
次に、ハロゲン化物を構成するハロゲンについて説明する。すなわち、反応性については、ハロゲンの中でヨウ素が最も適当であり、少なくとも上記主発光金属は、主としてヨウ化物として封入される。しかし、要すれば、ヨウ化物および臭化物のように異なるハロゲンの化合物を併用することもできる。そして、点灯１００時間における消灯時に、気密容器の内容積１ｃｃ当たりの遊離ヨウ素発生量Ａ（ｍｏｌ／ｃｃ）が後述する電極温度Ｔ（℃）との関係において、数式(１)を満足する必要がある。なお、遊離ヨウ素発生量は、たとえば放電媒体の封入量、部材処理方法、放電容器の形状およびハロゲンゲッタの封入などの要素を調整することにより、制御することが可能である。
【００２７】
なお、遊離ヨウ素発生量Ａ（ｍｏｌ／ｃｃ）は、以下の方法により同定するものとする。すなわち、本発明者らが１９９７年に日本国の照明学会の「物性とその応用研究会」で発表した論文「無電極メタルハライドランプ寿命の早期判定法」の中で言及している遊離ヨウ素生成量の測定方法によるものとし、その手順の概要を下記に示す。
１．被測定ランプを電気炉中で加熱して放電容器中の遊離ヨウ素を完全蒸発させる。
２．次に、ハロゲンランプ光源からの光を放電容器に通して、瞬間分光器を用いて透過光の透過スペクトルを測定する。
３．透過スペクトルを基準スペクトルで除算して、吸収スペクトルを得る。そして、その吸収の深さから吸収率を知る。
４．次に、吸収率と実際のヨウ素量との関係から、予め検量線を求めておき、上記検量線を用いて測定した吸収率からヨウ素量を同定する。
【００２８】
（キセノンについて）    キセノンは、始動ガスおよび緩衝ガスとして作用するとともに、始動直後には主発光を担当するように作用する。また、キセノンの封入圧力は３気圧以上、好適には５気圧以上、より好適には８〜１６気圧である。そのため、高圧放電ランプのランプ電圧が高くなり、同一ランプ電流に対してランプ入力を大きくして、光束立上り特性を向上させることができる。光束立上り特性が良好であることは、どのような使用目的であっても好都合であるが、特に自動車用前照灯装置および液晶プロジェクタなどにおいて極めて重要である。
【００２９】
（水銀について）    本発明において、「本質的に水銀を含まない」とは、水銀を全く封入していない態様および気密容器の内容積１ｃｃ当たり２ｍｇ未満、好ましくは１ｍｇ以下の水銀が存在している態様のいずれであってもよいことを許容するという意味である。しかし、水銀を全く封入しないことは環境上望ましいことである。従来のように水銀蒸気によって放電ランプの電気特性を維持する場合には、短アーク形においては気密容器の内容積１ｃｃ当たり２０〜４０ｍｇ、さらに場合によっては５０ｍｇ以上封入していたことからすれば、本発明は水銀量が実質的に頗る少ないといえる。
【００３０】
＜ランプ電力について＞    本発明において、ランプ電力は、高圧放電ランプに投入される電力であるが、本発明においては、安定時に５０Ｗ以下である。これは高圧放電ランプが小形であることを意味する。
【００３１】
＜電極温度と遊離ヨウ素発生量の関係について＞    安定時の電極温度Ｔ（℃）と、点灯１００時間における消灯時の遊離ヨウ素発生量Ａ（ｍｏｌ／ｃｃ）とが数式（１）の条件を満足すれば、アークが安定化する。これに対して、Ｔ２／Ａが１０１１以下であると、電極温度が相対的に低くなって、アークが不安定になり、アークの立ち消えや明るさのちらつきが生じやすくなるので、不可である。下式の条件は、電極温度Ｔ（℃）を高くするか、遊離ヨウ素発生量Ａ（ｍｏｌ／ｃｃ）を少なくするか、あるいは両方を調和的に変化させることにより、満足することができる。
【００３２】
Ｔ２／Ａ＞１０１１      （１）
＜電極温度について＞    安定時の前記電極温度が数式（２）の条件を満足すれば、放電のちらつきが抑制されるとともに、電極の寿命が改善される。これに対して、電極温度が１７００℃未満であると、放電が不安定になって放電のちらつきが発生する。また、電極温度が１９００℃を超えると、電極寿命が短くなるために、高圧放電ランプの寿命が短縮される。
【００３３】
１７００≦Ｔ≦１９００      （２）
＜本発明の作用について＞    請求の範囲１の発明においては、以上の説明から明らかなように、水銀を本質的に含まないことからアークが不安定になってアークの立ち消えや明るさのちらつきが生じやすいところ、数式（１）に示す所定条件を満足するように電極温度Ｔ（℃）および遊離ヨウ素発生量Ａ（ｍｏｌ／ｃｃ）を相関的に設定することで、アークが安定化して、放電のちらつきが効果的に抑制され、その結果明るさのちらつきやアークの立ち消えを顕著に低減することができる。
【００３４】
また、本発明においては、上記に加えて安定時の電極温度を数式（２）の範囲内に維持することにより、放電のちらつきが抑制されるとともに、電極の寿命が改善されるので、実用的な寿命を備えた高圧放電ランプが得られる。
【００３５】
さらに、本発明は、点灯開始時に安定時のランプ電力の２倍以上、好適には２．５〜４倍のランプ電力を投入するか、または点灯開始時に定格ランプ電流よりも過大な、すなわち２Ａ以上のランプ電流を通流する小形の高圧放電ランプに特に効果的である。
【００３６】
請求の範囲２の発明の高圧放電ランプは、請求の範囲１記載の高圧放電ランプにおいて、安定時の電極温度Ｔ（℃）は、電極先端から基端方向へ０．３ｍｍの点において、数式（３）を満足することを特徴としている。
【００３７】
１７３０≦Ｔ≦１８５０      （３）
本発明は、電極温度を請求の範囲１よりさらに狭い範囲に制御することで、放電のちらつきをより一層効果的に抑制するとともに、電極寿命を相対的により一層長くできる好適な構成を規定している。
【００３８】
請求の範囲３の発明の高圧放電ランプは、請求の範囲１または２記載の高圧放電ランプにおいて、放電媒体は、Ｍｇ、Ｃｏ、Ｃｒ、Ｚｎ、Ｍｎ、Ｓｂ、Ｒｅ、Ｇａ、Ｓｎ、Ｆｅ、Ａｌ、Ｔｉ、ＺｒおよびＨｆのグループから選択された一種または複数種のハロゲン化物を含んでいて、当該ハロゲン化物がランプ電圧形成媒体として作用することを特徴としている。
【００３９】
本発明は、水銀に代わるランプ電圧形成媒体を規定している。これらの媒体は、蒸気圧が比較的高くて、しかも、可視域における発光が比較的に少ないという共通した特徴があり、これらの媒体を選択的に適量封入することにより、ランプ電圧を所要範囲たとえば２０ないし７０Ｗを確保することができる。そのため、比較的少ないランプ電流で所要のランプ電力を投入することが可能になる。
【００４０】
請求の範囲４の発明の高圧放電ランプ点灯装置は、請求の範囲１ないし３のいずれか一記載の高圧放電ランプと；高圧放電ランプの点灯後４秒までの最高出力電力が安定時のランプ電力の２．５〜４倍となる点灯回路と；を具備していることを特徴としている。
【００４１】
そうして、本発明においては、高圧放電ランプの点灯後４秒までの間における点灯回路の最高出力電力、換言すれば高圧放電ランプへ投入される最高ランプ電力を安定時のランプ電力の２．５〜４倍にして点灯することにより、光束立上りを自動車前照灯用として必要な範囲内に入るように早くすることができる。
【００４２】
なお、キセノンの封入圧を３〜１５気圧の範囲でＸ（気圧）とし、高圧放電ランプの点灯後４秒までの最高入力電力をＡＡ（Ｗ）としたとき、ＡＡが下式を満足するように構成することにより、点灯後４秒までの光束立上りを早めて自動車用前照灯に必要な前照灯前面の代表点での光度８０００ｃｄを得ることができる。
【００４３】
ＡＡ＞−２．５Ｘ＋１０２．５      （４）
上記のようにキセノン封入圧と最高ランプ電力とが直線的な関係になるのは、蒸気圧の低い放電媒体のみであって、点灯後４秒の時点ではキセノンの発光が圧倒的になっているからである。キセノンの発光量は、キセノンの封入圧とその時の電力とで決まるので、キセノン圧が低ければ、入力電力を多くすればよい。反対に、キセノン圧が高ければ、投入するランプ電力を少なくすればよい。なお、本発明は、交流点灯および直流点灯のいずれで作動してもよいし、また時間の経過に伴っていずれか一方から他方へ切り換わるように構成してもよい。
【００４４】
また、点灯回路は、所要により無負荷出力電圧を２００Ｖ以下に構成することができる。本発明に用いる高圧放電ランプは、一般に水銀封入の高圧放電ランプに比較して、ランプ電圧が低いので、点灯回路の無負荷出力電圧を２００Ｖ以下にすることができる。これにより、点灯回路の小形化が可能になる。なおて、水銀を封入した高圧放電ランプにおいては、４００Ｖ程度の無負荷出力電圧を必要としている。
【００４５】
さらに、本発明の高圧放電ランプ点灯装置に所望によりイグナイタを付加することが許容される。
【００４６】
請求の範囲５の発明の自動車用前照灯装置は、自動車用前照灯装置本体と；放電容器の軸が自動車用前照灯装置本体の光軸に沿って自動車用前照灯装置本体内に配設される請求の範囲１ないし３のいずれか一記載の高圧放電ランプと；高圧放電ランプの点灯後４秒までの最高出力電力が安定時のランプ電力の２〜４倍となる点灯回路と；を具備していることを特徴としている。
【００４７】
本発明の自動車用前照灯装置は、請求の範囲１ないし３のいずれか一記載の高圧放電ランプを光源として備えているので、光束立上りが早くて安全であるとともに、高圧放電ランプが環境負荷の大きな水銀を封入していないので、環境対策上すこぶる好ましい。なお、「自動車用前照灯装置本体」とは、自動車用前照灯装置から高圧放電ランプおよび点灯回路を除いた残余の全ての部分を意味する。
【００４８】
【発明を実施するための最良の形態】
＜請求の範囲１の発明を実施するための形態の第１の例＞    図１を参照して、上記第１の例の高圧放電ランプについて説明する。図１において、高圧放電ランプHPDLは、放電容器（１）、封着金属箔（２）、外部導入線（３）および放電媒体を具備している。
【００４９】
放電容器（１）は、気密容器（１ａ）および一対の電極（１ｂ）、（１ｂ）からなる。気密容器（１ａ）は、外形が中空の紡錘形状に成形されてなり、その両端に一対の細長い封止部（１ａ１）を一体に付加して備えているとともに、内部に細長いほぼ円筒状をなす放電空間（１ｃ）が形成されている。電極（１ｂ）は、その基端が封止部（１ａ１）に埋設されることによって所定の位置に支持されている。また、電極（１ｂ）の基部は、封止部（１ａ１）内において、封着金属箔（２）の一端に溶接されている。
【００５０】
封着金属箔（２）は、気密容器（１ａ）の封止部（１ａ１）内に気密に封着されるとともに、他端に外部導入線（３）が溶接されている。
【００５１】
放電媒体は、発光金属のハロゲン化物およびキセノンからなり、気密容器（１ａ）内に封入されている。ハロゲン化物は、第１および第２のハロゲン化物からなる。第１のハロゲン化物は、発光金属のハロゲン化物からなる。そして、ナトリウムＮａ、スカンジウムＳｃおよび希土類金属のヨウ化物の少なくとも２種以上を含んでいる。第２のハロゲン化物は、ランプ電圧形成用で、相対的に蒸気圧が高くて、しかも、可視域における発光が少ない金属のハロゲン化物からなる。キセノンは３気圧以上の圧力で封入されている。
【００５２】
【実施例１】
放電容器（１）
気密容器（１ａ）：石英ガラス製で、外径６ｍｍ、内径２．７ｍｍ
電極（１ｂ）    ：タングステン製で、先端径０．４ｍｍ、突出長２．３ｍｍ
放電媒体
ハロゲン化物：ＳｃＩ３−ＮａＩ−ＺｎＩ２＝０．２ｍｇ
キセノン    ：６気圧
ハロゲンゲッタ：ＳｃまたはＳｂ＝０．０１ｍｇ
ランプ電力    ：安定時３５Ｗ
電極温度Ｔ    ：先端から０．３ｍｍの位置で１９００℃
遊離ヨウ素の発生量Ａ：点灯１００時間で０．５×１０−６（ｍｏｌ／ｃｃ）
Ｔ２／Ａ      ：７．２２×１０１２
【００５３】
次に、図２ないし図４を参照して、電極温度Ｔ（℃）、遊離ヨウ素発生量Ａ（ｍｏｌ／ｃｃ）および放電のちらつき発生の関係について説明する。
【００５４】
図２は、図１に示す実施の形態において、Ｔ２／Ａを種々変化させたときの放電のちらつきの有無を示している。図において、横軸はＴ２／Ａを、縦軸は放電のちらつきの有無を、それぞれ示す。なお、放電のちらつきの有無は、１が有、０が無を意味している。
【００５５】
図から理解できるように、Ｔ２／Ａが１０１１より大きいならば、放電のちらつきが発生しないことを示している。
【００５６】
図３は、同じく電極温度を１９００℃に固定して、遊離ヨウ素発生量を変化させたときのＴ２／Ａの値の変化を示している。図において、横軸は電極温度１９００℃のときの遊離ヨウ素発生量（ｍｏｌ／ｃｃ）を、縦軸はＴ２／Ａを、それぞれ示している。
【００５７】
図から理解できるように、電極温度が１９００℃であったとしても、遊離ヨウ素発生量が３．５×１０−５（ｍｏｌ／ｃｃ）以下であれば、Ｔ２／Ａが１０１１を超えることを示している。このことから、電極温度が１９００℃であったとしても、Ｔ２／Ａを所定値に制御することにより、放電のちらつきを抑制できることが分かる。
【００５８】
図４は、同じく遊離ヨウ素発生量を３．５×１０−５（ｍｏｌ／ｃｃ）に固定して、電極温度を変化させたときのＴ２／Ａの値の変化を示している。図において、横軸は遊離ヨウ素発生量３．５×１０−５（ｍｏｌ／ｃｃ）のときの電極温度Ｔ（Ｋ）を、縦軸はＴ２／Ａを、それぞれ示している。
【００５９】
図から理解できるように、遊離ヨウ素発生量が３．５×１０−５（ｍｏｌ／ｃｃ）になると、電極温度を１９００℃以上にしないと放電のちらつきを抑制できないことが分かる。
【００６０】
＜請求の範囲１および２の発明を実施するための形態の第２の例＞    上記形態の例１に示す高圧放電ランプは、その外観が図１と同様であるが、請求の範囲２の発明が電極温度を１７００〜１９００℃の範囲内、請求の範囲３の発明が電極温度を１７３０〜１８５０℃の範囲内、にそれぞれ維持するように構成されている。
【００６１】
【実施例２】
放電容器（１）
気密容器（１ａ）：石英ガラス製で、内容積０．０２５ｃｃ、放電空間最大内径２．４ｍｍ
電極（１ｂ）    ：タングステン製で、電極径０．４０ｍｍ、突出長１．６ｍｍ、電極間距離４．２ｍｍ
放電媒体
ハロゲン化物：ＳｃＩ３−ＮａＩ−ＺｎＩ２＝０．３ｍｇ
キセノン    ：１０気圧
ランプ電力    ：点灯直後８５Ｗ、安定点灯時３５Ｗ
ランプ電流    ：点灯直後２．８Ａ、安定点灯時０．８Ａ
電極温度Ｔ    ：先端から０．３ｍｍの位置で１８００℃
【００６２】
次に、図５を参照して、請求の範囲１および２の発明を実施するための形態の第２の例の場合の安定時における電極温度と放電のちらつき発生率および相対電極寿命との関係を説明する。なお、図５において、横軸は電極温度Ｔ（℃）を、縦軸は安定時における放電のちらつき発生率および相対電極寿命（いずれも単位は％）を、それぞれ示す。なお、「相対電極寿命」とは、電極寿命データのうち最も長いものを１００％とする相対的な値である。また、図中、曲線ａは放電のちらつき発生率のグラフ、曲線ｂは相対電極寿命の折れ線グラフ、をそれぞれ示している。そして、図は、実施例２と類似の仕様を備えているとともに、種々の電極温度を示す高圧放電ランプを試作して点灯試験を実施し、測定して得たデータに基づいて作成したものである。
【００６３】
図５から理解できるように、放電のちらつきは、電極温度が低いほど多く発生するが、１６５０℃前後あたりから高くなるにしたがって急速に発生率が低下し、１７００℃以上であれば、ちらつき発生率は５０％以下に低減する。また、電極温度が１７３０°以上であれば、ちらつき発生率は３０％程度以下に低減する。さらに、電極温度が１８５０℃以上なると、ちらつき発生率が０％になる。
【００６４】
これに対して、電極寿命は、電極温度が１７００℃未満であると低下する傾向があり、また、約１８００℃を超えると再び低下し、１９００℃を超えると相対電極寿命が５０％を割ってしまう。
【００６５】
したがって、請求の範囲２の発明は、電極温度を１７００℃以上で、かつ、１９００℃以下の範囲であるから、図５においては、放電のちらつき発生率が５０％以下であるとともに、相対電極寿命が５０％以上となる。また、電極温度のより一層好ましい範囲を規定している請求の範囲２の発明は、電極温度が１７３０〜１８５０℃であるから、図５においては、放電のちらつき発生率が３０％以下であるとともに、相対電極寿命が９０％以上となる。
【００６６】
＜請求の範囲１ないし３の各発明を実施するための形態の第３の例＞    図６を参照して、上記形態の例３について説明する。この例の高圧放電ランプは、図１に示すのと同様な高圧放電ランプをさらに自動車用前照灯装置に装着するように構成したものである。すなわち、高圧放電ランプ（HPDL´）は、発光管（ＬＴ）、外管（ＯＴ）、口金（Ｂ）および絶縁チューブ（ＩＴ）を具備している。
【００６７】
発光管（ＬＴ）は、図１に示す高圧放電ランプ（HPDL）と同一の構造を備えている。したがって、図１と同一部分については同一符号を付して説明は省略する。
【００６８】
外管（ＯＴ）は、紫外線カット性能を備えており、内部に発光管（ＬＴ）を収納していて、両端が封止部（１ａ１）に固定されているが、気密ではなく、外気に連通している。
【００６９】
口金（Ｂ）は、発光管（ＬＴ）および外管（ＯＴ）を支持しているとともに、発光管（ＬＴ）の一対の電極（１ｂ）、（１ｂ）に電気的に接続している。すなわち、発光管（ＬＴ）の一方の封止部（１ａ１）が口金（Ｂ）に植立され、他端から導出された外部リード線（３）は外管（ＯＴ）に平行に延在して口金（Ｂ）内に導入され、図示しない端子に接続されている。
【００７０】
絶縁チューブ（ＩＴ）は、外部リード線（３）を被覆している。
【００７１】
＜請求の範囲４の発明を実施するための形態＞    図７を参照して、この実施の形態の高圧放電ランプ点灯装置について説明する。図において、高圧放電ランプ点灯装置は、点灯回路（ＯＣ）および高圧放電ランプ（HPDL）を具備している。
【００７２】
点灯回路（ＯＣ）は、直流電源（１１）、チョッパ（１２）、制御手段（１３）、ランプ電流検出手段（１４）、ランプ電圧検出手段（１５）、イグナイタ（１６）およびフルブリッジインバータ（１７）を備えている。
【００７３】
直流電源（１１）は、後述するチョッパ（１２）に対して直流電力を供給する手段であって、バッテリーまたは整流化直流電源を用いる。自動車の場合には、一般的にバッテリーが用いられる。しかし、交流を整流する整流化直流電源であってもよい。いずれにしても、必要に応じて電解コンデンサ（１１ａ）を並列接続して平滑化を行うことができる。
【００７４】
チョッパ（１２）は、直流電源（１１）から印加される直流電圧を所要値の直流電圧に変換するＤＣ−ＤＣ変換回路であって、後述するフルブリッジインバータ（１７）を介して高圧放電ランプ（HPDL）に印加する出力電圧の値を決定する。所要の出力電圧に対して直流電源電圧が低い場合には、昇圧チョッパを用い、反対に高い場合には降圧チョッパを用いる。
【００７５】
制御手段（１３）は、時間的な制御パターンが予め組み込まれたマイコンが内蔵されていて、チョッパ（１２）を制御する。たとえば、点灯直後には高圧放電ランプ（HPDL）に定格ランプ電流の３倍以上のランプ電流をチョッパ（１２）からフルブリッジインバータ（１７）を経由して供給し、その後時間の経過とともに徐々にランプ電流を絞っていき、やがて定格ランプ電流にするように制御する。また、制御手段（１３）は、ランプ電流とランプ電圧と相当するそれぞれの検出信号が後述するように帰還入力されることにより、定電力制御信号を発生して、チョッパ（１２）を定電力制御する。
【００７６】
ランプ電流検出手段（１４）は、フルブリッジインバータ（１７）を介してランプと直列に挿入されていて、ランプ電流に相当する電流を検出して制御手段（１３）に制御入力する。
【００７７】
ランプ電圧検出手段（１５）は、同様にフルブリッジインバータ（１７）を介してランプと並列的に接続されていて、ランプ電圧に相当する電圧を検出して制御手段（１３）に制御入力する。
【００７８】
イグナイタ（１６）は、フルブリッジインバータ（１７）と高圧放電ランプ（HPDL）との間に介在していて、始動時に約２０ｋＶ程度の始動パルス電圧を高圧放電ランプ（HPDL）に印加できるように構成されている。
【００７９】
フルブリッジインバータ（１７）は、４つのＭＯＳＦＥＴ（Ｑ１）、（Ｑ２）、（Ｑ３）および（Ｑ４）からなるブリッジ回路（１７ａ）、ブリッジ回路（１７ａ）のＭＯＳＦＥＴ（Ｑ１）および（Ｑ３）と、（Ｑ２）および（Ｑ４）とを交互にスイッチングさせるゲートドライブ回路（１７ｂ）および極性反転回路（１７ｃから構成されていて、チョッパ（１２）からの直流電圧を上記スイッチングにより矩形波の低周波交流電圧に変換して、高圧放電ランプ（HPDL）に印加して、高圧放電ランプ（HPDL）を低周波交流点灯させる。
【００８０】
そうして、点灯回路（ＯＣ）を用いて高圧放電ランプ（HPDL）を矩形波の低周波交流で点灯すると、点灯直後から所要の光束を発生する。これにより、自動車用前照灯として必要な電源投入後１秒後に定格に対して光束２５％、４秒後に光束８０％の点灯を実現することができる。
【００８１】
＜請求の範囲５の発明を実施するための形態＞    図８を参照して、この実施の形態の自動車用前照灯装置について説明する。図において、自動車用前照灯装置（ＨＬ）は、自動車用前照灯装置本体（２１）、ならびにそれぞれ一対の点灯回路（ＯＣ）および高圧放電ランプ（HPDL´）を具備している。
【００８２】
自動車用前照灯装置本体（２１）は、前面透過パネル（２１ａ）、リフレクタ（２１ｂ）、（２１ｃ）、ランプソケット（２１ｄ）および取付部（２１ｅ）などから構成されている。
【００８３】
前面透過パネル（２１ａ）は、自動車の外面と合わせた形状をなし、所要の光学的手段たとえばプリズムを備えている。
【００８４】
リフレクタ（２１ｂ）、（２１ｃ）は、各高圧放電ランプ（HPDL´）に対応して配設されていて、それぞれに要求される配光特性を得るように構成されている。
【００８５】
ランプソケット（２１ｄ）は、点灯回路（ＯＣ）の出力端に接続し、高圧放電ランプ（HPDL´）の口金（２１ｄ）に装着される。
【００８６】
取付部（２１ｅ）は、自動車用前照灯装置本体（２１）を自動車の所定の位置に取り付けるための手段である。
【００８７】
高圧放電ランプ（HPDL´）は、図６に示す請求の範囲１ないし３の発明の実施の形態に係る構造を備えている。なお、ランプソケット（２１ｄ）は、口金に装着されて接続する。
【００８８】
そうして、２灯の高圧放電ランプ（HPDL´）が自動車用前照灯装置本体（２１）に装着されて、４灯式の自動車用前照灯装置（ＨＬ）が構成される。各高圧放電ランプ（HPDL´）の発光部は、自動車用前照灯装置本体（２１）のリフレクタ（２１ｂ）、（２１ｃ）の焦点にほぼ位置する。
【００８９】
点灯回路（ＯＣ）は、図７に示す回路構成を備えていて、金属製容器（２２）内に収納されているとともに、高圧放電ランプ（HPDL´）を付勢して点灯させる。
【００９０】
【発明の効果】
請求の範囲１の発明によれば、電極先端から基端方向へ０．３ｍｍの点における安定時の電極温度Ｔ（℃）と点灯１００時間における消灯時の遊離ヨウ素発生量Ａ（ｍｏｌ／ｃｃ）とが数式（１）を満足することにより、アークが安定化して、アークの立ち消えや明るさのちらつきが低減するとともに、上記電極温度が数式（２）を満足することにより、放電のちらつきが抑制され、かつ、電極が相対的に長寿命になって実用的な寿命を備えた点灯開始時に安定時のランプ電力に対して２倍以上のランプ電力を投入する自動車前照灯用などに好適な高圧放電ランプを提供することができる。
【００９１】
Ｔ２／Ａ＞１０１１      （１）
１７００≦Ｔ≦１９００      （２）
請求の範囲２の発明によれば、安定時の電極温度Ｔ（℃）が、電極先端からから基端方向へ０．３ｍｍの点において、数式（３）を満足することにより、放電のちらつきが一層効果的に抑制されるとともに、電極寿命が相対的により一層長寿命になり、点灯開始時に安定時のランプ電力に対して２倍以上のランプ電力を投入する自動車前照灯用などに好適な高圧放電ランプを提供することができる。
【００９２】
１７３０≦Ｔ≦１８５０      （３）
請求の範囲３の発明によれば、請求の範囲１または２に加えて放電媒体が、Ｍｇ、Ｃｏ、Ｃｒ、Ｚｎ、Ｍｎ、Ｓｂ、Ｒｅ、Ｇａ、Ｓｎ、Ｆｅ、Ａｌ、Ｔｉ、ＺｒおよびＨｆのグループから選択された一種または複数種のハロゲン化物を含んでいて、これがランプ電圧形成媒体として作用することにより、環境負荷の大きい水銀を実質的に用いなくても自動車前照灯を始め各種用途において十分実用に供し得る高圧放電ランプを提供することができる。
【００９３】
請求の範囲４の発明によれば、高圧放電ランプの放電のちらつきが低減するとともに、光束立上りが良好であるとともに、請求の範囲１ないし３発明の効果を有する高圧放電ランプ点灯装置を提供することができる。
【００９４】
請求項５の発明によれば、光束立上りが良好であるとともに、請求の範囲１ないし３発明の効果を有する自動車用前照灯装置を提供することができる。
【図面の簡単な説明】
【図１】  請求項１の発明を実施するための形態の第１の例を示す高圧放電ランプの正面図である。
【図２】  同じくＴ２／Ａの値を種々変化させたときの放電のちらつきの有無を示すグラフである。
【図３】  同じく電極温度１９００℃において遊離ヨウ素発生量を変化させたときのＴ２／Ａの値の変化を示すグラフである。
【図４】  同じく遊離ヨウ素発生量が３．５×１０−５（ｍｏｌ／ｃｃ）において電極温度を変化させたときのＴ２／Ａの値の変化を示すグラフである。
【図５】  請求項１および２の発明を実施するための形態の第２の例の場合の安定時における電極温度と放電のちらつき発生率および相対電極寿命との関係を示すグラフである。
【図６】  請求項１ないし３の発明を実施するための形態の第３の例を示す高圧放電ランプの正面図である。
【図７】  請求項４の発明を実施するための形態を示す高圧放電ランプ点灯装置を示す回路図である。
【図８】  請求項５の発明を実施するための形態を示す自動車用前照灯装置の斜視図である。
【符号の説明】
１…放電容器、１ａ…気密容器、１ａ１…封止部、１ｂ…電極、２…封着金属箔、３…外部導入線
【図１】
0004203418.tif 000002
【図２】
0004203418.tif 000003
【図３】
0004203418.tif 000004
【図４】
0004203418.tif 000005
【図５】
0004203418.tif 000006
【図６】
0004203418.tif 000007
【図７】
0004203418.tif 000008
【図８】
0004203418.tif 000009